(57)【要約】【課題】  従来の電話システムでは、端末や他の電話システムにおける受信信号レベルの測定及び調整作業が煩雑であり、信号レベルの調整を容易にすることができる電話システムを提供する。【解決手段】  制御部（ＭＣＰ２０）が、信号のレベルを測定するレベル測定部２９を備え、管理装置（管理コンソール１）から受信レベルの測定対象のインタフェース部（インタフェース基板）を指定する測定要求コマンドが入力されると、当該インタフェース基板からの受信レベルをレベル測定部２９で測定して、測定値を管理コンソール１に出力し、管理コンソール１が、ＭＣＰ２０に、測定対象のインタフェース基板を指定する測定要求コマンドを出力し、ＭＣＰ２０からの測定値に基づいて当該インタフェース基板に接続された端末又は他の電話システムでの受信信号レベルを表示する電話システムとしている。【選択図】        図２
2011004043.tif 000002
【特許請求の範囲】
【請求項１】
端末又は他の電話システムに接続する少なくとも一つのインタフェース部と、
前記インタフェース部と音声データの送受信を行って通話の制御を行うと共に、入力されたコマンドに従って保守管理の制御を行う制御部と、
前記制御部にコマンドを出力する管理装置とを備えた電話システムであって、
前記制御部が、信号のレベルを測定するレベル測定部を備え、前記管理装置から受信レベルの測定対象のインタフェース部を指定する測定要求コマンドが入力されると、前記測定対象のインタフェース部からの信号の受信レベルを前記レベル測定部で測定して、測定値を前記管理装置に出力し、
前記管理装置が、前記制御部に、測定対象のインタフェース部を指定する測定要求コマンドを出力し、前記制御部からの測定値に基づいて前記インタフェース部に接続された端末又は他の電話システムでの受信レベルを表示することを特徴とする電話システム。
【発明の詳細な説明】
【技術分野】
【０００１】
本発明は、構内無線システム等に用いられる電話システムに係り、特に端末における音声レベルを管理装置で表示させて、システム設置時や保守点検時の音声レベルの調整を容易にすることができる電話システムに関する。
【背景技術】
【０００２】
［先行技術の説明］
構内ＰＨＳシステム等に用いられる電話システムでは、システム設置時や障害発生時、又は他のシステムとの接続時に、移動端末や固定端末における音声レベルを適切に設定する必要がある。
【０００３】
従来の電話システムでは、音声レベルを調整する際には、測定器を用いて末端の端末間における音声レベルを測定して適切に調整するようになっており、オシレータとレベル計を用いて測定していた。
【０００４】
電話システムに関する先行技術としては、特開２００４−８８２１１号公報（出願人：株式会社日立国際電気、特許文献１）がある。
特許文献１には、会議通話を行う電話システムにおいて、会議通話処理部とＢＧＭ装置との接続状態を切り替えるスイッチを通常はオンにしておき、会議通話処理部から送話音声を検出するとスイッチをオフにして、会話が始まるまではＢＧＭを流し、会話が始まったらＢＧＭの出力を停止する電話システムが記載されている。
【先行技術文献】
【特許文献】
【０００５】
【特許文献１】特開２００４−８８２１１号公報
【発明の概要】
【発明が解決しようとする課題】
【０００６】
しかしながら、従来の電話システムでは、音声レベルの調整時には測定器を用いて測定しなければならず、作業が煩雑で調整に時間がかかるという問題点があった。
【０００７】
本発明は、上記実状に鑑みて為されたもので、信号レベルの調整を容易にすることができる電話システムを提供することを目的とする。
【課題を解決するための手段】
【０００８】
上記従来例の問題点を解決するための本発明は、端末又は他の電話システムに接続する少なくとも一つのインタフェース部と、インタフェース部と音声データの送受信を行って通話の制御を行うと共に、入力されたコマンドに従って保守管理の制御を行う制御部と、制御部にコマンドを出力する管理装置とを備えた電話システムであって、制御部が、信号のレベルを測定するレベル測定部を備え、管理装置から受信レベルの測定対象のインタフェース部を指定する測定要求コマンドが入力されると、測定対象のインタフェース部からの信号の受信レベルをレベル測定部で測定して、測定値を前記管理装置に出力し、管理装置が、制御部に、測定対象のインタフェース部を指定する測定要求コマンドを出力し、制御部からの測定値に基づいてインタフェース部に接続された端末又は他の電話システムでの受信レベルを表示することを特徴としている。
【発明の効果】
【０００９】
本発明によれば、端末又は他の電話システムに接続する少なくとも一つのインタフェース部と、インタフェース部と音声データの送受信を行って通話の制御を行うと共に、入力されたコマンドに従って保守管理の制御を行う制御部と、制御部にコマンドを出力する管理装置とを備えた電話システムであって、制御部が、信号のレベルを測定するレベル測定部を備え、管理装置から受信レベルの測定対象のインタフェース部を指定する測定要求コマンドが入力されると、測定対象のインタフェース部からの信号の受信レベルをレベル測定部で測定して、測定値を前記管理装置に出力し、管理装置が、制御部に、測定対象のインタフェース部を指定する測定要求コマンドを出力し、制御部からの測定値に基づいてインタフェース部に接続された端末又は他の電話システムでの受信レベルを表示する電話システムとしており、測定対象のインタフェース部に接続された端末や他システムで受信される信号を折り返して制御部に入力することにより、制御部で信号のレベルを測定することができる。つまり、管理装置からの指示により、インタフェース部からの信号の送信レベルを測定することができ、管理装置はその測定結果に基づいて、端末や他の電話システムでの受信レベルを算出して表示するので、オペレータはその表示に基づいて、信号レベルの調整を容易に行うことができる効果がある。
【図面の簡単な説明】
【００１０】
【図１】本発明の実施の形態に係り、構内ＰＨＳシステムとして用いられる電話システム（本システム）の構成ブロック図である。
【図２】制御装置２のＭＣＰ２０の構成ブロック図である。
【図３】レベル測定部２９の構成を示す回路図である。
【発明を実施するための形態】
【００１１】
［実施の形態の概要］
本発明の実施の形態について図面を参照しながら説明する。
本発明の実施の形態に係る電話システムは、構内ＰＨＳシステム等に用いられる電話システムにおいて、システムの保守点検等に用いられる管理コンソールからの指示に応じて、制御装置が音声レベル測定用の信号を生成して指定されたインタフェース基板に出力し、インタフェース基板で折り返された受信信号のレベルを測定して管理コンソールに出力し、管理コンソールが、受信した測定レベルから実効値を算出して音声レベル測定値として表示するものであり、管理コンソールで各端末の音声レベルを表示することができ、各インタフェース基板における音声レベルの調整作業を容易にすることができるものである。
【００１２】
また、本電話システムは、対向システムから特定周波数及び送信レベルの音声信号が送信される場合には、インタフェース基板で折り返された当該音声信号を制御部に入力して、制御部が受信信号のレベルを測定して管理コンソールに出力し、管理コンソールが、測定値から実効値を算出して音声レベル測定値として表示するものである。
【００１３】
［本実施の形態に係る無線通信装置の構成：図１］
本発明の実施の形態に係る電話システムの構成について図１を用いて説明する。図１は、本発明の実施の形態に係り、構内ＰＨＳシステムとして用いられる電話システム（本システム）の構成ブロック図である。
図１に示すように、本システムは、保守点検等に用いる管理コンソール１と、システム全体の制御を行う制御装置２と、ＰＨＳ通信の基地局（ＢＳ）３と、ＰＨＳ端末である移動局（ＰＳ）４と、固定端末（ＴＥＬ）５とを備えている。管理コンソール１は、請求項に記載した管理装置に相当する。
【００１４】
更に、制御装置２は、制御部としてのＭＣＰ（Main Control Processor）２０と、インタフェース基板としてのＢＳＩＦ（Base Station Interface）２１、ＣＯＴ（Control Office Translator）２２が設けられ、オプションのインタフェース基板として、ＯＤＴ（Out-Band Dialing Trunk）２３、ＰＣＵ（Paging Control Unit）２４とが接続可能となっている。尚、インタフェース基板は、請求項に記載したインタフェース部に相当している。
【００１５】
ＭＣＰ２０は、システム全体の制御及び交換制御を行うものであり、構内ＰＨＳシステムの工注情報を記憶して、それに基づいてシステム全体を制御し、監視を行う。特に、本システムの特徴として、ＭＣＰ２０は、管理コンソール１からの指示に従って、特定の音声信号を発生し、また、受信信号のレベルを測定する。ＭＣＰ２０は、請求項に記載した制御部に相当している。ＭＣＰ２０の具体的な構成については後で説明する。
【００１６】
ＢＳＩＦ２１は、複数の基地局３を統括してＰＨＳ無線通信の制御を行う。
ＣＯＴ２２は、有線電話通信の制御を行う。
ＯＤＴ２３は、専用線インタフェースの制御を行う。例えば、本電話システムに接続された他の電話システムとのインタフェース制御を行う。
ＰＣＵ２４は、有線ページング装置との接続制御を行う。
【００１７】
管理コンソール１は、ＣＰＵ等で構成される制御部と、メモリやハードディスク等で構成される記憶部と、液晶パネル等の表示部と、オペレータが指示を入力する操作を行う入力部とを基本的に備えたコンピュータである。
そして、管理コンソール１は、制御装置２のＭＣＰ２０に接続し、工注情報をＭＣＰ２０に設定して保守管理を行い、ＭＣＰ２０からシリアル通信を介してシステム全体の状態や、インタフェース基板の状態、ＢＳの情報を受信し、表示する。また、管理コンソール１は、システム据付時や障害発生時に、ＭＣＰ２０に適切な工注情報の設定や変更を行う。
【００１８】
そして、本システムでは、管理コンソール１からの命令コマンドに従って、制御装置２のＭＣＰ２０が、特定の音声信号を生成して特定のインタフェース基板に出力し、また、特定のインタフェース基板で受信した音声信号の受信レベルを測定して管理コンソール１に出力し、管理コンソールで音声レベルを表示するようになっている。これにより、管理コンソール１で各インタフェース基板に接続される端末の受信音声レベルが把握でき、音声レベルの調整作業を容易且つ円滑に行うことができるものである。
【００１９】
［ＭＣＰ２０の構成：図２］
次に、制御装置２のＭＣＰ２０の構成について、図２を用いて具体的に説明する。図２は、制御装置２のＭＣＰ２０の構成ブロック図である。
まず、本システムの管理コンソール１は、図２に示すように、ＭＣＰ２０に対して命令コマンドを発行し、それに対応するレスポンスを受信して、レスポンスに基づいて画面表示を行う。本システムの管理コンソール１は、音声レベルの測定を行うためのコマンドとして、信号発生要求コマンドと、測定要求コマンドを出力する。
【００２０】
信号発生要求コマンドには、周波数、送信レベル、出力先インタフェース基板の情報が含まれている。
また、測定要求コマンドにはどのインタフェース基板からの音声信号の受信レベルを測定するかを指定する情報が含まれている。これらのコマンドに基づく動作については後で説明する。
【００２１】
また、ＭＣＰ２０と、各種インタフェース基板であるＣＯＴ２２，ＯＤＴ２３，ＰＣＵ２４とはＰＣＭ（Pulse Code Modulation）ハイウェイ（音声ハイウェイ）で接続されている。
各種インタフェース基板ＣＯＴ２２，ＯＤＴ２３，ＰＣＵ２４は、それぞれ下りＰＣＭハイウェイからの下り音声データをＤ／Ａ変換して受話音声として出力し、送話音声をＰＣＭ符号化して上り音声データとして上りＰＣＭハイウェイに出力する。
【００２２】
ＭＣＰ２０は、ＣＰＵ２５と、ハイウェイスイッチ２６と、ＰＣＭ−ＣＯＤＥＣ２７と、信号発生器２８と、レベル測定部２９とを備えている。
ＣＰＵ２５は、ＭＣＰ２０全体の制御を行い、管理コンソール１から命令コマンドを受け取って、それに従って処理を行い、結果をレスポンスとして管理コンソール１に出力する。
本システムの特徴として、管理コンソール１から信号発生要求コマンドが入力されると、ＣＰＵ２５は、信号発生器２８に対して信号発生を指示する。また、管理コンソール１から測定要求コマンドが入力されると、ＣＰＵ２５は、レベル測定部２９にレベル測定を指示し、測定された受信レベルを管理コンソール１に出力する。
尚、管理コンソール１は、信号発生要求コマンドと測定要求コマンドとを対にしてＣＰＵ２５に出力する。
【００２３】
ハイウェイスイッチ２６は、従来と同様に、ＣＰＵ２５からの指示に従って送話音声（上り）ハイウェイ、受話音声（下り）ハイウェイのタイムスイッチを切り替え、各インタフェース基板からの音声データを、下りハイウェイを介して適切なインタフェース基板に出力する。
また、本システムの特徴として、ハイウェイスイッチ２６は、ＣＰＵ２５からの指示に従って、ＰＣＭ−ＣＯＤＥＣ２７からの音声データを下りハイウェイを介して指定されたインタフェース基板に出力し、また、指定されたインタフェース基板からの上り音声データをＰＣＭ−ＣＯＤＥＣ２７に出力する。
【００２４】
信号発生器２８は、ＣＰＵ２５からの指示に応じて、指定された周波数及び送信レベルの単一トーン、又はＤＴＭＦ（Dual-Tone Multi-Frequency）信号を生成してＰＣＭ−ＣＯＤＥＣ２７に出力する。
レベル測定部２９は、ＣＰＵ２５からの指示に従って、ＰＣＭ−ＣＯＤＥＣ２７からの音声信号の受信レベルを測定して、ＣＰＵ２５に出力する。
【００２５】
ＰＣＭ−ＣＯＤＥＣ２７は、信号発生器２８から入力されたアナログ信号をＰＣＭ符号化してハイウェイスイッチ２６に出力し、ハイウェイスイッチ２６から入力されたデジタル音声信号をアナログ信号に変換してレベル測定部２９に出力する。
【００２６】
［本システムの動作：図２］
次に、本システムの動作について図２を用いて説明する。ここでは、ＯＤＴ２３の音声レベルを測定する際の動作を例として説明するが、他のインタフェース基板の場合も同様である。
管理コンソール１は、生成する単一トーン信号の周波数、送信レベルと、目的のインタフェース基板（ＯＤＴ２３）を指定する信号発生要求コマンドを出力する。
【００２７】
ＭＣＰ２０のＣＰＵ２５は、信号発生要求コマンドで周波数、送信レベルの信号を生成するよう、信号発生器２８に指示を出力する。それと共に、ＣＰＵ２５は、ハイウェイスイッチ２６に対して、コマンドで指定されたインタフェース基板（ＯＤＴ２３）に、ＰＣＭ−ＣＯＤＥＣ２７からのデータを出力するよう指示を出力する。
【００２８】
信号発生器２８は、指示に従って指定された周波数、送信レベルの単一トーン信号を生成してＰＣＭ−ＣＯＤＥＣ２７に出力する。信号発生器２８は、停止指示が入力されるまで信号を出力し続ける。
ＰＣＭ−ＣＯＤＥＣ２７は、信号発生器２８から入力されたアナログ信号をＰＣＭ符号化してデジタルの音声データに変換し、ハイウェイスイッチ２６に出力する。
【００２９】
ハイウェイスイッチ２６は、ＣＰＵ２５からの指示に従って、タイムスイッチを切り替えて、ＰＣＭ−ＣＯＤＥＣ２７からの音声データを指定されたインタフェース基板（ＯＤＴ２３）の下りハイウェイに接続する。ハイウェイスイッチ２６は、ＣＰＵ２５から停止指示が入力されるまで音声データをＯＤＴ２３に出力し続ける。
【００３０】
音声データを受信したインタフェース基板（ＯＤＴ２３）では、音声データをＰＣＭ復号化してアナログ音声信号に変換し、更にオペレータ操作により、下り音声信号をそのまま折り返して上り音声信号に接続し、ＰＣＭ符号化して上りＰＣＭハイウェイに出力する。これにより、信号発生器２８で生成された信号を当該インタフェース基板に接続された端末で受信した場合の受信信号を、そのままＭＣＰ２０に折り返すことができ、ＭＰＣ２０でのレベル測定が可能となるものである。
【００３１】
管理コンソール１は、信号発生要求コマンドの出力後、一定時間経過すると、信号発生要求コマンドで指定したインタフェース基板からの受信レベルを測定するよう指示する測定要求コマンドをＣＰＵ２５に出力する。ここではＯＤＴ２３を指定した測定要求コマンドを出力する。
【００３２】
ＣＰＵ２５は、測定要求コマンドを受信すると、ハイウェイスイッチ２６に対して、指定されたインタフェース基板（ＯＤＴ２３）からの音声データをＰＣＭ−ＣＯＤＥＣ２７に出力するよう指示を出力すると共に、レベル測定部２９に対して、受信信号のレベルを測定するよう指示を出力する。
【００３３】
ハイウェイスイッチ２６は、ＣＰＵ２５からの指示に従ってタイムスイッチを切り替えて、ＯＤＴ２３からの音声データをＰＣＭ−ＣＯＤＥＣ２７に出力し、ＰＣＭ−ＣＯＤＥＣ２７は音声データをＰＣＭ復号化してアナログ音声信号に変換して、レベル測定部２９に出力する。
レベル測定部２９は、入力されたアナログ音声信号のレベルを測定して、測定レベルのデータをＣＰＵ２５に出力する。
【００３４】
ＣＰＵ２５は、測定レベルのデータをレスポンスとして管理コンソール１に出力する。
管理コンソール１は、測定レベルのデータに基づいて、当該インタフェース基板（ＯＤＴ２３）における音声レベルを表示する。そして、管理コンソール１は信号発生停止と信号出力停止と測定停止の指示をＣＰＵ２５に出力し、ＣＰＵ２５は信号発生器２８、ハイウェイスイッチ２６、レベル測定部２９に対して停止の指示を出力する。
このようにして本システムにおける音声レベル測定の動作が行われる。
【００３５】
これにより、システム設置時や保守点検時に、管理コンソール１において、信号発生器２８で生成された信号の送信レベルと、当該信号を折り返した受信信号の受信レベルとを比較して、作業者は各インタフェース基板における音声レベルの調整を行うことができるものであり、利便性を向上させることができるものである。
【００３６】
［別の動作：図２］
また、本システムが他の対向電話システムに接続されており、当該他の対向システムから特定周波数、送信レベルの単一トーンを出力することが可能な場合、又は、オペレータが各インタフェース基板に接続された端末から特定周波数、送信レベルの単一トーンを出力させる場合には、管理コンソール１は、インタフェース基板を特定した測定要求コマンドのみを出力する。
そして、ＭＣＰ２０のレベル測定部２９で、測定要求コマンドで指定されたインタフェース基板からの受信音声信号のレベルを測定し、管理コンソール１でレベルに基づいた表示を行う。これにより、ＯＤＴ２３に接続された対向システムからの受信レベル又は各インタフェース基板に接続された端末からの受信レベルを管理コンソール１で表示でき、各インタフェース基板における音声レベルの調整を容易にすることができるものである。
【００３７】
［レベル測定部２９の構成：図３］
次に、レベル測定部２９の構成例について図３を用いて説明する。図３は、レベル測定部２９の構成を示す回路図である。
図３に示すように、レベル測定部２９は、抵抗Ｒ１，Ｒ２，Ｒ３と、差動増幅器３０，３１と、コンデンサＣ１と、抵抗Ｒ４，Ｒ５と、Ａ／Ｄ変換器３２とで構成されている。
図３に示した構成部分の内、抵抗Ｒ１，Ｒ２，Ｒ３と、差動増幅器３０で構成される部分は、アナログ入力信号を整流する整流回路であり、抵抗Ｒ４，差動増幅器３１、コンデンサＣ１、抵抗Ｒ５で構成される部分は、直流成分を取り出すＬＰＦ（Low Pass Filter）である。
【００３８】
そして、上記構成のレベル測定部２９においては、ＰＣＭ−ＣＯＤＥＣ２７から入力されたアナログ音声信号は、整流回路によって整流され、ＬＰＦによって直流成分が取り出され、取り出された直流成分の電圧値がＡ／Ｄ変換器３２でデジタル値に変換されて測定レベルのデータ（測定値）としてＣＰＵ２５に出力されるようになっている。
【００３９】
［管理コンソール１での変換］
管理コンソール１には、予め実験によって求めた測定レベルのデータと実際の直流分の電圧値とを対応付けて記憶した変換テーブルが設けられている。そして、ＣＰＵ２５から測定データが入力されると、管理コンソール１は、変換テーブルを参照して実際の直流分の電圧値を読み取り、例えば、（１）式に基づいて実効値を算出する。尚、（１）式の測定値とはＣＰＵ２５からの測定データである。
実効値＝１／√２×π／２×平均値      （１）
そして、計算によって求めた実効値を音声レベルの測定値として表示する。このようにして、管理コンソール１では制御装置２からの測定レベルを音声レベルの測定値に変換して表示するものである。
【００４０】
［実施の形態の効果］
本発明の実施の形態に係る電話システムによれば、制御装置２のＭＣＰ２０が、指定された周波数、送信レベルの単一トーン信号を生成する信号発生器２８と、入力された音声信号のレベルを測定するレベル測定部２９とを備え、管理コンソール１から周波数と送信レベルと、インタフェース基板とを指定する信号発生要求コマンドが入力されると、信号発生器２８で、指定された周波数及び送信レベルの単一トーン信号を生成し、当該単一トーン信号をＰＣＭ符号化して音声ハイウェイを介して指定されたインタフェース基板に出力すると共に、管理コンソール１からインタフェース基板を指定する測定要求コマンドが入力されると、レベル測定部２９で、当該インタフェース基板からの上り音声データの受信レベルを測定して、管理コンソール１に出力し、管理コンソール１でそれに基づいて当該インタフェース基板に接続された端末での受信音声レベルの測定値を表示する電話システムとしているので、指定されたインタフェース基板において、ＭＣＰ２０からの単一トーン信号のデータを受信し、復号後、上り音声信号として符号化して折り返すことにより、ＭＣＰ２０で当該インタフェース基板に接続された端末での受信音声レベルを測定して、管理コンソール１において、特定周波数及び送信レベルの単一トーン信号を受信した場合の音声レベルを表示することができ、システム設置時や保守点検時の各インタフェース基板での音声レベルの調整を容易に行うことができ、利便性を向上させることができる効果がある。
また、同様にして、ＭＣＰ２０で当該インタフェース基板に接続された他の電話システムへの送信レベルを他の電話システムの受信音声レベルとして測定して、管理コンソール１において、特定周波数及び送信レベルの単一トーン信号を受信した場合の音声レベルを表示することができる効果がある。
【００４１】
また、本電話システムによれば、制御装置２のＭＣＰ２０が、入力された音声信号のレベルを測定するレベル測定部２９を備え、管理コンソール１からインタフェース基板を指定する測定要求コマンドが入力されると、レベル測定部２９で、当該インタフェース基板からの上り音声データの受信レベルを測定して、管理コンソール１に出力し、管理コンソール１でそれに基づいて当該インタフェース基板に接続された端末での受信音声レベルの測定値を表示する電話システムとしているので、指定されたインタフェース基板において、対向システムからの下り音声データを受信して復号後、上り音声信号として符号化して折り返すことにより、ＭＣＰ２０で当該インタフェース基板に接続された端末での受信音声レベルを測定して、管理コンソール１において受信音声レベルを表示することができ、システム設置時や保守点検時の各インタフェース基板での音声レベルの調整を容易に行うことができ、利便性を向上させることができる効果がある。
特に、他の対向システムと接続する場合、従来は、他のシステムからの受信レベルや本システムから送信する送信レベルを測定することは困難であり、測定できたとしてもオペレータの作業が煩雑であったが、本システムによれば、オペレータは、管理コンソール１からのコマンド指示と折り返し測定のときはその操作を行うだけで受信レベルや送信レベルを測定、表示することができ、これにより、現地での調整を容易且つ円滑に行うことができる効果がある。
【００４２】
また、ここではＭＣＰ２０の信号発生器２８が単一トーンを生成するものとしたが、単一トーンに加えて、指定された周波数及び送信レベルのＤＴＭＦ（Dual-Tone Multi-Frequency）信号を生成するものとしてもよく、同様に動作してレベル測定部２９でレベル測定することにより、管理コンソール１において、各インタフェース基板に接続された端末で特定のＤＴＭＦ信号を受信した場合の受信レベルを表示でき、ＤＴＭＦ信号のレベル調整を容易に行うことができる効果がある。
尚、信号発生器２８で単一トーンとＤＴＭＦ信号の両方を生成する場合には、信号発生要求コマンドにおいて、信号の種類（単一トーン／ＤＴＭＦ）を指定するものとする。
【００４３】
更に、管理コンソール１から各インタフェース基板に対して遠隔操作でレベル調整を行う機能を備えてもよい。
この場合には、管理コンソール１は、制御装置２のＭＣＰ２０を介して各インタフェース基板における音声レベルの現在の設定値を読み出して表示し、また、音声レベルの測定値に基づいて、各インタフェース基板に対して設定値を変更するようＭＣＰ２０に指示を出力することが可能であり、音声レベルの調整を一層容易にすることができる効果がある。
【００４４】
また、上述した実施の形態では、信号発生器２８がアナログ信号を発生し、レベル測定部２９がアナログ信号のレベルを測定する場合を例に挙げて説明した。
しかし、本発明は、これに限定されるものではなく、これらがデジタル信号を直接発生し、測定するものであってもよい。
この場合、ＰＣＭ−ＣＯＤＥＣ２７には、信号発生器２８が発生した信号をＡ／Ｄ変換する機能や、レベル測定部２９へ入力する信号をＤ／Ａ変換する機能を備える必要がなく、例えば、ＰＣＭ−ＣＯＤＥＣ２７、信号発生器２８、及びレベル測定部２９の機能をＦＰＧＡ（Field Programmable Gate Array）により実現することが可能である。
尚、このとき、管理コンソール１は、ＣＰＵ２５からコマンドレスポンスとして受信したレベル測定結果をそのまま測定レベルとして表示してもよいし、実効値を別途求めて表示してもよい。
【００４５】
更に、上述した実施の形態では、管理コンソール１が信号発生要求コマンドと測定要求コマンドとの２つのコマンドを出力する場合を例として説明した。
しかし、本発明はこれに限定されるものではなく、測定要求コマンドに信号を発生させて折り返し測定を行うか否かを示す情報を付加してもよい。
この場合、ＣＰＵ２５は、そのコマンドを受信し、信号発生を行うことを示す情報が付加されていれば、信号発生器２８に予め定められた周波数及びレベルの信号を出力させ、レベル測定部２９に折り返しにより入力された信号のレベルを測定させる。
【産業上の利用可能性】
【００４６】
本発明は、端末における音声レベルを管理装置で表示させて、システム設置時や保守点検時の音声レベルの調整を容易にすることができる電話システムに適している。
【符号の説明】
【００４７】
１…管理コンソール、  ２…制御装置、  ３…基地局（ＢＳ）、  ４…移動局（ＰＳ）、  ５…固定端末、  ２０…ＭＣＰ、  ２１…ＢＳＩＦ、  ２２…ＣＯＴ、  ２３…ＯＤＴ、  ２４…ＰＣＵ、  ２５…ＣＰＵ、  ２６…ハイウェイスイッチ、  ２７…ＰＣＭ−ＣＯＤＥＣ、  ２８…信号発生器２８、  ２９…レベル測定部、  ３０，３１…差動増幅器、  ３２…Ａ／Ｄ変換器
【図１】
2011004043.tif 000003
【図２】
2011004043.tif 000004
【図３】
2011004043.tif 000005